(57)【要約】【課題】  メンテナンス性に優れた透光性を有する床構造を低コストで提供する。【解決手段】  ガラスブロック床１は、複数の開口部５０ａが形成されているコンポジットパネル５０と、コンポジットパネル５０上に敷き詰められたガラスブロック１０とを備える。また、コンポジットパネル５０の下方に配設され、コンポジットパネル５０を支持する根太４０には、照明機器６０が取り付けられている。このガラスブロック床１によれば、コンポジットパネル５０上にガラスブロック１０が敷き詰められて構成されているので、ガラスブロック１０の脱着を容易に行うことができる。また、部品点数が少ないため低コストである。【選択図】  図２
2005083098.tif 000002
【特許請求の範囲】
【請求項１】
透光性を有する床構造であって、
透明ブロック体と、
前記透明ブロック体を支持する支持板と、を備え、
前記支持板には前記透明ブロック体の設置部位に透光部が形成されている、ことを特徴とする床構造。
【請求項２】
前記透明ブロック体がガラスブロックである請求項１に記載の床構造。
【請求項３】
前記支持板に形成された前記透光部の下部位置に照明機器が配設されている請求項１または請求項２に記載の床構造。
【発明の詳細な説明】
【技術分野】
【０００１】
本発明は、床構造に関し、特に透光性を有する床構造に関する。
【背景技術】
【０００２】
下記特許文献１には、ガラスブロックを用いた床組立体が記載されている。この床組立体は、端部が互いに係合された４つの外周部材によって形成される外周部の内側に、横方向部材及び長さ方向に整列したセグメント部材を含む複数の格子形成部材により格子が形成され、格子形成部材で画定される格子のポケットにガラスブロックが嵌め込まれた構造を有している。また、床組立体は、外周部材が型枠リングに嵌め込まれ、不動の状態で周囲の建造物によって支持されるように構成されている。
【特許文献１】特許第２８４０６９３号公報（第３−４頁、第１図）
【発明の開示】
【発明が解決しようとする課題】
【０００３】
しかし、この床組立体は不動の状態で周囲の建造物によって支持されており、ガラスブロックは格子のポケットに固定されているので、ガラスブロック等の脱着が困難である。このため、上記床組立体は、メンテナンス性が悪い。また、床組立体を構成する部品点数が多いためコストが高い。
【０００４】
本発明は、上記問題点を解消する為になされたものであり、メンテナンス性に優れた透光性を有する床構造を低コストで提供することを目的とする。
【課題を解決するための手段】
【０００５】
本発明に係る床構造は、透光性を有する床構造であって、透明ブロック体と、透明ブロック体を支持する支持板とを備え、支持板には透明ブロック体の設置部位に透光部が形成されていることを特徴とする。
【０００６】
本発明に係る床構造によれば、透明ブロック体の設置部位に透光部が形成されている支持板により透明ブロック体が支持されているので、透明ブロック体の脱着を容易に行うことができる。また、ガラスブロックを嵌め込む格子形成部材等を必要としないので、部品点数が少なく低コストである。
【０００７】
上記透明ブロック体は、例えば、ガラスブロックであるのが好適である。
【０００８】
また、支持板に形成された透光部の下部位置に照明機器が配設されていることが好ましい。この場合、透光部の下部位置に配設された照明機器のメンテナンス、例えば、照明機器の交換等を容易に行うことができる。
【発明の効果】
【０００９】
本発明によれば、透明ブロック体の設置部位に透光部が形成されている支持板によって透明ブロック体が支持される構造とすることにより、メンテナンス性に優れた透光性を有する床構造を低コストで提供することができる。
【発明を実施するための最良の形態】
【００１０】
以下、図面を参照して本発明の好適な実施形態について詳細に説明する。図中、同一又は相当部分には同一符号を用いることとする。
【００１１】
まず、図１乃至図４を併せて用いて、本実施形態に係るガラスブロック床１の構造について説明する。ここで、図１はガラスブロック床１の平面図、図２は図１のII−II線における要部断面図、図３は図１のIII−III線における要部断面図である。また、図４は支持板の平面図である。
【００１２】
ガラスブロック床１は、例えば、ホテルやマンション等のエントランス、教会のチャペル等に設けられる。
【００１３】
図１に示されるように、透光性を有するガラスブロック床１は、例えば玄晶石などの石やタイル等で形成された周囲の床面と面一となるように、互いに同一形状のガラスブロック（透明ブロック体）１０が敷き詰められて構成されている。ガラスブロック１０は、縦約１００ｍｍ、横約２００ｍｍ、高さ約６０ｍｍの透明又は半透明な立方体である。なお、ガラスブロック１０の大きさ及び形状はこれらに限られるものではない。
【００１４】
図２に示されるように、ガラスブロック床１の外周部の下方にはＨ形鋼等よりなるベース２０が配設されている。そして、ベース２０のフランジ部によってアングル３０が支持されている。アングル３０は、横断面がＬ字状をした鋼製の部材である。アングル３０の底面はベース２０上に取り付けられている。また、アングル３０の垂直面はコンクリートスラブに固定されている。
【００１５】
また、図２に示されるように、アングル３０には、根太４０が取り付けられている。より詳細には、図１及び図２におけるガラスブロック床１の左右両縁部の下方に配設された左右のアングル３０の間に、複数の根太４０が取り付けられている。また、図３に示されるように、各根太４０は、ガラスブロック床１の長手方向（図１における上下方向）に所定間隔（約２００ｍｍ）をもって互いに平行に配置されている。この各根太４０は、ボルト・ナット等の連結具により左右両側のアングル３０に連結されている。なお、根太４０としては、横断面が略口の字状をした型鋼が用いられている。ただし、根太４０の数、配置及び形状などはこれらに限定されるものではない。
【００１６】
根太４０の上には支持板（以下「コンポジットパネル」という）５０が敷設されている。本実施形態では、７セットのコンポジットパネル５０がガラスブロック床１の長手方向に並べて敷設されている。なお、コンポジットパネル５０は、根太４０の上に置かれているだけであり、根太４０に固定されていない。ただし、コンポジットパネル５０を根太４０にボルト・ナット等の連結具により固定してもよい。
【００１７】
コンポジットパネル５０は、縦約９００ｍｍ、横約１６００ｍｍ、厚み約２５ｍｍの合板である。コンポジットパネル５０の上面には、白色の塩化ビニールシートが貼り付けられている。また、図４に示すように、コンポジットパネル５０には矩形の開口部（透光部）５０ａが複数形成されている。この開口部５０ａは、コンポジットパネル５０の横方向に８個、縦方向に９個、マトリックス状に配置されて形成されている。なお、開口部５０ａの形状、個数及び配置はこれらに限られるものではない。
【００１８】
そして、コンポジットパネル５０の上に、ガラスブロック１０が敷き詰められることによりガラスブロック床１が形成されている。ここで、各ガラスブロック１０は、コンポジットパネル５０に形成された開口部５０ａに対応した位置、すなわち開口部５０ａの中心とガラスブロック１０の中心とが一致する位置に配置されて敷き詰められている。
【００１９】
さらに、図１及び図２に示されるように、ステンレス製の板状部材であるフラットバー７０が、ガラスブロック床１の四周にわたって、ガラスブロック床１の外周部と床材との間に差し込まれている。このフラットバー７０により、ガラスブロック床１と床材との隙間が埋められると共に、ガラスブロック１０同士のがたつきが防止される。
【００２０】
図２及び図３に示されるように、各根太４０の長手方向の両側面には照明機器６０が上方に向けて取り付けられている。本実施形態では、照明機器６０として長さ約１５００ｍｍのシームレスライン照明機器が使用されている。この照明機器６０によって、開口部５０ａを通してガラスブロック１０が照らされることにより、ガラスブロック床１の床面を下方からライトアップすることができる。なお、照明機器６０は、照明機器６０の長手方向の中心線と、開口部５０ａの長手方向の中心線とが略一致するように配置される。
【００２１】
次に、図５を参照してガラスブロック床１の施行方法について説明する。ここで、図５は、ガラスブロック床１の施行方法を説明するための図である。
【００２２】
まず、ガラスブロック床１の外周部が形成される位置の下方にベース２０が配設される。続いて、ベース２０上にアングル３０が設置される。また、アングル３０の垂直面がコンクリートスラブに固定される。そして、ガラスブロック床１の左右両縁部の下方に設置された左右のアングル３０の間に、複数の根太４０が取り付けられる。各根太４０は、ガラスブロック床１の長手方向に所定の間隔を持って互いに平行に配設される。さらに、各根太４０の両側面に、照明機器６０が取り付けられる。
【００２３】
次に、根太４０の上に７枚のコンポジットパネル５０が、ガラスブロック床１の長手方向に並べて敷設される。ガラスブロック床１の外縁部に、四周にわたってフラットバー７０が配設される。そして、フラットバー７０により形成された外周部の内側に敷設されたコンポジットパネル５０上にガラスブロック１０が順次敷き詰められる。以上により、ガラスブロック床１が形成される。
【００２４】
このように、本実施形態に係る床構造は、複数の開口部５０ａが形成されたコンポジットパネル５０の上にガラスブロック１０が敷き詰められた構造を有する。そのため、少ない部品点数でガラスブロック床１を構成することができるので、コストを低減することができる。また、ガラスブロック床１のサイズや形状等の自由度が高い。
【００２５】
また、床下の照明機器６０を交換する場合等には、メンテナンスに必要な部分のガラスブロック１０及びコンポジットパネル５０を取り外せばよいためメンテナンスが容易である。さらに、ガラスブロック１０は、順次、一つずつ容易に取り外すことができるので、メンテナンス作業に特別な技量が必要とされず、また、１人でメンテナンス作業を行うことも可能である。
【００２６】
さらに、床上からメンテナンスを行うことが可能となるため、点検口や点検用の床下空間が不要になるので、設計上の自由度が大きくなる。
【００２７】
以上、本発明の実施の形態について説明したが、本発明は、上記実施形態に限定されるものではなく種々の変形が可能である。例えば、透明ブロック体はガラスブロックに限られず、表面にコーティングを施した樹脂ブロック等を用いることもできる。また、ガラスブロック１０の形状は立方体に限られず、コンポジットパネル５０上に敷き詰めることのできる形状であればよい。ガラスブロック１０のサイズ、色等も上記実施形態に限定されるものではない。さらに、それぞれのガラスブロック１０は互いに同一形状でなくともよい。
【００２８】
コンポジットパネル５０に形成された開口部５０ａの形状は矩形に限られず、丸型や菱形等でもよい。開口部５０ａの数、配置等も自由に変更することができる。
【００２９】
また、照明機器６０はシームレスライン照明機器に限られず、例えば、電球等を用いても良い。
【００３０】
さらに、ガラスブロック床１の全体にわたって透光性を有するガラスブロック１０を敷き詰めるのではなく、ガラスブロック床１の一部分に透光性を有するガラスブロック１０を配置してもよい。
【図面の簡単な説明】
【００３１】
【図１】実施形態に係るガラスブロック床の平面図である。
【図２】図１のII−II線における要部断面図である。
【図３】図１のIII−III線における要部断面図である。
【図４】支持板の平面図である。
【図５】実施形態に係るガラスブロック床の施行方法を説明するための図である。
【符号の説明】
【００３２】
１…ガラスブロック床、１０…ガラスブロック、２０…ベース、３０…アングル、４０…根太、５０…コンポジットパネル、５０ａ…開口部、６０…照明機器、７０…フラットバー。
【図１】
2005083098.tif 000003
【図２】
2005083098.tif 000004
【図３】
2005083098.tif 000005
【図４】
2005083098.tif 000006
【図５】
2005083098.tif 000007